(57)【要約】【課題】組立作業および分解作業が容易なソケットを提供すること。【解決手段】コンタクト３を保持した保持部材４と、収容部５を規定したハウジング６と、ハウジングを覆うシェル７とを有する。保持部材は係合部８を有し、ハウジングは被係合部９を有する。係合部と被係合部とが係合することにより、保持部材は収容部に第１の方向Ａ１で所定距離だけ移動自在に配置される。収容部に保持部材を第１の方向で挟むように基板２と電子部品１を配置してシェルをハウジングに係止させる。こうして、シェルにより電子部品を保持部材に向けて押圧し、コンタクトを介して基板に電気的に接続させる。【選択図】図１
2008243459.tif 000002
【特許請求の範囲】
【請求項１】
第１及び第２の接続対象物を第１の方向で互いに接続するソケットにおいて、コンタクトを保持した保持部材と、収容部を規定したハウジングと、前記ハウジングを覆うカバー部材とを含み、前記保持部材は係合部を有し、前記ハウジングは被係合部を有し、前記係合部と前記被係合部とが係合することにより、前記保持部材は前記収容部に前記第１の方向で所定距離だけ移動自在に配置され、前記収容部に前記保持部材を前記第１の方向で挟むように前記第１及び第２の接続対象物を配置して前記カバー部材を前記ハウジングに係止させ、前記カバー部材により前記第１の接続対象物を前記保持部材に向けて押圧し、前記コンタクトを介して前記第１の接続対象物を前記第２の接続対象物に電気的に接続させることを特徴とするソケット。
【請求項２】
前記ハウジングは、前記第１の方向に直交する第２の方向において前記第２の接続対象物を前記収容部に挿抜可能にする開口を有する、請求項１に記載のソケット。
【請求項３】
前記ハウジングは、前記第１の方向において前記第１の接続対象物を前記収容部に挿抜可能にする開口を有し、前記カバー部材は、前記第１の方向において前記第１の接続対象物に係合する蓋部分を有する導電性のシェルである、請求項１又は２に記載のソケット。
【請求項４】
前記シェルは、前記ハウジングに前記第１の方向で嵌合され、かつ、前記蓋部分と協働して前記ハウジングを前記第１の方向で挟む底部分を有する、請求項３に記載のソケット。
【請求項５】
電子部品と、前記電子部品に第１の方向で接続される基板と、コンタクトを保持した保持部材と、収容部を規定したハウジングと、前記ハウジングを覆うカバー部材とを含み、前記保持部材は係合部を有し、前記ハウジングは被係合部を有し、前記係合部と前記被係合部とが係合することにより、前記保持部材は前記収容部に前記第１の方向で所定距離だけ移動自在に配置され、前記収容部に前記保持部材を前記第１の方向で挟むように前記電子部品及び前記基板を配置して前記カバー部材を前記ハウジングに係止させ、前記カバー部材により前記電子部品を前記保持部材に向けて押圧し、前記コンタクトを介して前記電子部品を前記基板に電気的に接続させたことを特徴とする電子装置。
【発明の詳細な説明】
【技術分野】
【０００１】
本発明は、例えばカメラモジュールなどの電子部品をＦＰＣなどの基板に取り付けるために使用され得るソケットに関するものである。
【背景技術】
【０００２】
この種のソケットは、例えば特許文献１に開示されており、有底の収容部を規定した外ケースを含んでいる。収容部の内底部には基板が配置される。基板の上には、コンタクトを保持した保持部材が配置される。コンタクトの一部は、保持部材から下に突出し、基板に電気的に接続される。また、コンタクトの他の一部は、保持部材から上に突出した状態にある。基板および保持部材を収容部に収容した後に、電子部品を収容部に収容する。すると、コンタクトが電子部品に接触するので、電子部品はコンタクトを介して基板に電気的に接続される。
【０００３】
上述したソケットによると、一度ソケットを組み立ててしまうと保持部材が動かなくなる構造を備えている。そのため、保持部材及び電子部品を組み込む前に、予め基板を外ケースに上方からセットする必要がある。その後、基板上に保持部材及び電子部品を順に載せる。最後に、取付用蓋体を外ケースに変形を伴って機械的に係止させる。
【０００４】
【特許文献１】特開２００５−２６８０１９号公報
【発明の開示】
【発明が解決しようとする課題】
【０００５】
特許文献１のソケットにおいては、基板を外ケースから取り外す場合に作業が大変煩雑である。即ち、取付用蓋体と外ケースとの間の機械的係止を外して電子部品及び保持部材を外ケースから取り出してから、基板を外ケースから取り出すという手順を採らなければならない。また、基板を交換する場合には、別の基板を外ケースにセットしてから、保持部材及び電子部品を外ケースに収容し、最後に、取付用蓋体を外ケースに機械的に係止させるという手順をさらに必要とする。
【０００６】
したがって、作業が煩雑であると共に部品の紛失などの問題を招きかねない。さらに、取付用蓋体と外ケースとの間の機械的係止を外すには治具などが必要であるため、作業面及びコスト面で不利である。また、その機械的係止のための変形を何回も繰り返すと、係止力が低下し、落下衝撃を受けたときなどに分解などの問題を引き起こす虞がある。
【０００７】
それ故に本発明の課題は、組立作業および分解作業が容易なソケットを提供することにある。
【０００８】
本発明の他の課題は、シールド性能の高いソケットを提供することにある。
【課題を解決するための手段】
【０００９】
本発明の一態様によれば、第１及び第２の接続対象物を第１の方向で互いに接続するソケットにおいて、コンタクトを保持した保持部材と、収容部を規定したハウジングと、前記ハウジングを覆うカバー部材とを含み、前記保持部は係合部を有し、前記ハウジングは被係合部を有し、前記係合部と前記被係合部とが係合することにより、前記保持部材は前記収容部に前記第１の方向で所定距離だけ移動自在に配置され、前記収容部に前記保持部材を前記第１の方向で挟むように前記第１及び第２の接続対象物を配置して前記カバー部材を前記ハウジングに係止させ、前記カバー部材により前記第１の接続対象物を前記保持部材に向けて押圧し、前記コンタクトを介して前記第１の接続対象物を前記第２の接続対象物に電気的に接続させることを特徴とするソケットが得られる。
【００１０】
前記ハウジングは、前記第１の方向に直交する第２の方向において前記第２の接続対象物を前記収容部に挿抜可能にする開口を有してもよい。
【００１１】
前記ハウジングは、前記第１の方向において前記第１の接続対象物を前記収容部に挿抜可能にする開口を有し、前記カバー部材は、前記第１の方向において前記第１の接続対象物に係合する蓋部分を有する導電性のシェルであってもよい。
【００１２】
前記シェルは、前記ハウジングに前記第１の方向で嵌合され、かつ、前記蓋部分と協働して前記ハウジングを前記第１の方向で挟む底部分を有してもよい。
【００１３】
本発明の他の態様によれば、電子部品と、前記電子部品に第１の方向で接続される基板と、コンタクトを保持した保持部材と、収容部を規定したハウジングと、前記ハウジングを覆うカバー部材とを含み、前記保持部は係合部を有し、前記ハウジングは被係合部を有し、前記係合部と前記被係合部とが係合することにより、前記保持部材は前記収容部に前記第１の方向で所定距離だけ移動自在に配置され、前記収容部に前記保持部材を前記第１の方向で挟むように前記電子部品及び前記基板を配置して前記カバー部材を前記ハウジングに係止させ、前記カバー部材により前記電子部品を前記保持部材に向けて押圧し、前記コンタクトを介して前記電子部品を前記基板に電気的に接続させたことを特徴とする電子装置が得られる。
【発明の効果】
【００１４】
本発明のソケットは、コンタクトを保持した保持部材がハウジングの収容部に接続方向を規定した第１の方向で所定距離だけ移動自在に配置されているので、必要に応じて保持部材を第２の接続対象物から離間移動させることで、第２の接続対象物を取り外したり交換したりすることが容易に可能になる。したがって、組立作業および分解作業が容易なソケットを提供することができる。
【発明を実施するための最良の形態】
【００１５】
図１から図３を参照して、本発明の第１の実施の形態に係るソケットを用いた電子装置について説明する。図１は、電子装置の斜視図であり、図２は、図１のII-II線に沿って得られた断面図であり、図３は、図１及び図２に示す電子装置の分解斜視図である。
【００１６】
図示の電子装置は、第１の接続対象物としての電子部品１と、電子部品１に第１の方向Ａ１で接続される第２の接続対象物としての基板２と、多数の導電性コンタクト３を保持した絶縁性の保持部材４と、電子部品１及び基板２を収容するための収容部５を規定した絶縁性のハウジング６と、ハウジング６を覆うカバー部材としての導電性のシェル７とを含んでいる。電子部品１は、例えばカメラモジュールよりなる。基板２は、プリント基板やＦＰＣよりなるが、図面ではその要部のみが示されている。したがって、この電子装置はカメラに組み込まれるものである。なお、ここでは、コンタクト３、保持部材４、ハウジング６、及びシェル７を合わせてソケットと呼ぶ。
【００１７】
保持部材４は係合部８を有している。ハウジング６は被係合部９を有している。保持部材４は収容部５に配置され、係合部８と被係合部９とが係合することにより第１の方向Ａ１で所定距離だけ移動自在である。
【００１８】
さらに、収容部５に電子部品１及び基板２を、保持部材４を第１の方向Ａ１で挟むように配置する。そして、シェル７をハウジング６の外側に上方から嵌合させて係止用開口部１１をハウジング６の係止用突起１２に係止させる。こうして、シェル７により電子部品１を保持部材４に向けて押圧し、コンタクト３を介して電子部品１を基板２に電気的に接続させる。
【００１９】
図４から図９をも参照して、上述した電子装置についてさらに説明する。図４はハウジング６を示し、図５は基板２の要部を示し、図６は保持部材４を示し、図７は多数のコンタクト３を示し、図８は電子部品１を示し、図９はシェル７を示す。
【００２０】
図４のハウジング６は、収容部５の上面が開放されているが、底面は閉鎖されている。ハウジング６の側面には、被係合部９及び係止用突起１２の他に、第１の方向Ａ１に直交する第２の方向Ａ２において基板２を収容部５に挿抜可能にする開口１３が形成されている。開口１３は、幅の広い上段部１３ａと幅の狭い下段部１３ｂとが一体となってＴ字形状を有している。
【００２１】
図５の基板２は、開口１３の上段部１３ａを通して収容部５に配置される広幅部２ａと、主要部２ａから引き出された狭幅部２ｂとを有している。狭幅部２ｂは開口１３の下段部１３ｂに配置される。
【００２２】
図６の保持部材４は、中央のコンタクト保持部４ａと、コンタクト保持部４ａの両側に対象に延出した多数のリブ部４ｂとを有している。コンタクト保持部４ａはコ字状溝４ｃを有している。リブ部４ｂは隣り合うコンタクト３を絶縁するためのものであり、中央のもののみが他のものよりも長く形成され、係合部８とされている。
【００２３】
図７のコンタクト３は、保持部材４のリブ部４ｂの相互間にそれぞれ配置される。各コンタクト３は、保持部材４のコ字状溝４ｃに圧入保持若しくは保持部材４に埋め込み保持されるコ字状部３ａと、保持部材４の両面からそれぞれ突出する二つの接触部３ｂ、３ｃとを有している。一方の接触部３ｂは保持部材４から下方に突出して基板２に弾力的に接触するための部分である。他方の接触部３ｃは保持部材４から上方に突出して電子部品１に弾力的に接触するための部分である。
【００２４】
図８の電子部品１は、概ね直方体状を呈し、上面に突出したレンズ１ａと、下面に電気接続用端子（図示せず）とを有している。
【００２５】
図９のシェル７は、第１の方向Ａ１において電子部品１に係合する上面の四角形の蓋部分７ａと、この蓋部分７ａの４辺から直角に曲がって下方にそれぞれのびた少し弾力性をもつ４枚の側板部分７ｂとを有している。上述した係止用開口部１１は各側板部分７ｂに形成される。側板部分７ｂの対向した２枚には、ハウジング６の被係合部９に対応して上下にのびた切りみぞ７ｄが形成されている。蓋部分７ａには、電子部品のレンズ１ａを露出させるための窓穴７ｃが形成されている。
【００２６】
図１から図３と共に、図１０（ａ）、（ｂ）をも参照して、上述した電子装置の組立及び作用について説明する。
【００２７】
上述したように、保持部材４はハウジング６に第１の方向Ａ１で所定距離だけ移動自在である。図１０（ａ）のように保持部材４を上方に移動させた状態で、基板２をハウジング６に開口１３の上段部１３ａを通して挿入する。基板２の広幅部２ａを開口１３に挿入した後、基板２を下降させ、その狭幅部２ｂを開口１３の下段部１３ｂに配置する。この結果、基板２の広幅部２ａはハウジング６の収容部５内で位置決めされる。この状態で、図１０（ｂ）のように保持部材４を下方に移動させ、コンタクト３の一方の接触部３ｂを基板２に接触させる。
【００２８】
次に、図２に示すように電子部品１を端子向きに注意して保持部材４の上に配置する。すると、電子部品１はコンタクト３の他方の接触部３ｃに接触する。さらに、シェル７を上方からハウジング６の外側に嵌合させる。このときシェル７の蓋部分７ａによって電子部品１が下方に押され、保持部材４をさらに下降させる。最後に、シェル７の係止用開口部１１を係止用突起１２に嵌合させると、シェル７はハウジング６に係止され、組み立てが完了する。この状態では、コンタクト３の接触部３ｂ、３ｃが基板２、電子部品１にそれぞれ圧接する。したがって、電子部品１はコンタクト３を介して基板２に電気的に接続される。
【００２９】
上述したソケットにおいては、必要に応じて基板２をハウジング６から簡単に取り外すことができる。その場合、先ず、シェル７の切りみぞ７ｄを通して保持部材４を上方に移動させる。次に、基板２を少し持ち上げて広幅部２ａを開口１３の上段部１３ａに対応させつつ、基板２をハウジング６から引き出す。これにより、基板２を取り外したり交換したりすることが容易に可能である。さらに、導電性のシェル７がハウジング６を概ね覆うことになるので、電磁遮蔽効果を得ることもできる。特に、ハウジング６の底部側がシェル７により覆われるので、シールド性能が良好なソケットを提供できる。
【００３０】
図１１を参照して、本発明の第２の実施の形態に係るソケットを用いた電子装置について説明する。図１１において、（ａ）は組立途中状態の正面図、（ｂ）の組立完了状態の正面図である。
【００３１】
図１１（ａ）に示すように、シェル７の４枚の側板部分７ｂの一枚に延長部７ｅを設け、その延長部７ｅの付け根に予めノッチ７ｆなどにより指定した折り曲げ箇所を設ける。そして、上述した電子装置の組み立て後に、折り曲げ箇所を折り曲げて、図１１(ｂ)に示すように延長部分を電子装置の底面に対向させる。この状態は、シェル７が、蓋部分７ａと協働してハウジング６を第１の方向Ａ１で挟む底部分を有していると看做すことができる。
【００３２】
この構造によれば、導電性のシェルがハウジング６の６面前部を覆うことになるので、さらに優れた電磁遮蔽効果を得ることができる。
【産業上の利用可能性】
【００３３】
本発明によるソケットは、カメラモジュールを用いた電子装置に適用できる。
【図面の簡単な説明】
【００３４】
【図１】本発明の第１の実施の形態に係るソケットを用いた電子装置の斜視図である。
【図２】図１のII-II線に沿って得られた断面図である。
【図３】図１及び図２に示す電子装置の分解斜視図である。
【図４】図１から図３に示す電子装置に含まれたハウジングを示し、（ａ）は平面図、（ｂ）は正面図、（ｃ）は右側面図である。
【図５】図１から図３に示す電子装置に含まれた基板の要部を示し、（ａ）は平面図、（ｂ）は正面図、（ｃ）は右側面図である。
【図６】図１から図３に示す電子装置に含まれた保持部材を示し、（ａ）は平面図、（ｂ）は正面図、（ｃ）は右側面図である。
【図７】図１から図３に示す電子装置に含まれたコンタクトの全容を示し、（ａ）は平面図、（ｂ）は正面図、（ｃ）は右側面図である。
【図８】図１から図３に示す電子装置に含まれた電子部品を示し、（ａ）は平面図、（ｂ）は正面図、（ｃ）は右側面図である。
【図９】図１から図３に示す電子装置に含まれたシェルを示し、（ａ）は平面図、（ｂ）は正面図、（ｃ）は右側面図である。
【図１０】図１から図３に示す電子装置の組立及び作用を説明するための説明用断面図である。
【図１１】本発明の第２の実施の形態に係るソケットを用いた電子装置を示し、（ａ）は組立途中状態の正面図、（ｂ）の組立完了状態の正面図である。
【符号の説明】
【００３５】
１  電子部品
１ａ  レンズ
２  基板
２ａ  広幅部
２ｂ  狭幅部
３  コンタクト
３ａ  コ字状部
３ｂ、３ｃ  接触部
４  保持部材
４ａ  コンタクト保持部
４ｂ  リブ部
４ｃ  コ字状溝４ｃ
５  収容部
６  ハウジング
７  シェル（カバー部材）
７ａ  蓋部分
７ｂ  側板部分
７ｃ  窓穴
７ｄ  切りみぞ
８  係合部
９  被係合部
１１  係止用開口部
１２  係止用突起
１３  開口
１３ａ  上段部
１３ｂ  下段部
【図１】
2008243459.tif 000003
【図２】
2008243459.tif 000004
【図３】
2008243459.tif 000005
【図４】
2008243459.tif 000006
【図５】
2008243459.tif 000007
【図６】
2008243459.tif 000008
【図７】
2008243459.tif 000009
【図８】
2008243459.tif 000010
【図９】
2008243459.tif 000011
【図１０】
2008243459.tif 000012
【図１１】
2008243459.tif 000013